(57)【特許請求の範囲】
【請求項１】
複数のＬＥＤチップが縦横に整列された状態で実装される基板と、前記基板が設けられる本体と、前記複数のＬＥＤチップの前方に配置される蛍光材と、を備える複数のＬＥＤパッケージと、
前記複数のＬＥＤパッケージが、同一平面に配置されて固定される取付部と、
前記複数のＬＥＤパッケージの各々の前方において、各ＬＥＤパッケージに対して空間をおいて配置される、平面視で楕円形状の複数のレンズと、
を有し、
前記複数のＬＥＤパッケージの各々は、行方向に第１の所定間隔をおいて、かつ前記行方向に直交する列方向に第２の所定間隔をおいて行列状に配置され、
前記複数のレンズの各々は、長軸が前記行方向に沿って配置され、
前記複数のＬＥＤパッケージのうちの、第ｍ行第ｍ列（ｍは１以上の自然数）の位置のＬＥＤパッケージは、前記縦横に整列されている複数のＬＥＤチップにおける横の方向が、平面視で、前記行方向に対して、時計回りあるいは反時計回りに所定角度だけ傾斜した状態で前記取付部に固定され、
前記複数のＬＥＤパッケージのうちの、第ｍ行第（ｍ＋１）列の位置のＬＥＤパッケージは、前記縦横に整列されている複数のＬＥＤチップにおける横の方向が、前記第ｍ行第ｍ列の位置のＬＥＤパッケージが時計回りに傾斜している場合は反時計回りに、反時計回りに傾斜している場合は時計回りに、前記行方向に対して前記所定角度だけ傾斜した状態で前記取付部に固定され、
前記複数のＬＥＤパッケージのうちの、第（ｍ＋１）行第ｍ列の位置のＬＥＤパッケージは、前記縦横に整列されている複数のＬＥＤチップにおける横の方向が、前記第ｍ行第ｍ列の位置のＬＥＤパッケージが時計回りに傾斜している場合は反時計回りに、反時計回りに傾斜している場合は時計回りに、前記行方向に対して前記所定角度だけ傾斜した状態で前記取付部に固定され、
前記複数のＬＥＤパッケージのうちの、第（ｍ＋１）行第（ｍ＋１）列の位置のＬＥＤパッケージは、前記縦横に整列されている複数のＬＥＤチップにおける横の方向が、前記第ｍ行第（ｍ＋１）列の位置のＬＥＤパッケージが時計回りに傾斜している場合は反時計回りに、反時計回りに傾斜している場合は時計回りに、前記行方向に対して前記所定角度だけ傾斜した状態で前記取付部に固定されるＬＥＤ照明器具。
【発明の詳細な説明】
【技術分野】
【０００１】
本発明は、ケース内に複数のＬＥＤパッケージが設けられ、各ＬＥＤパッケージに縦横整列された複数のＬＥＤチップを有するＬＥＤ照明器具に関する。
【背景技術】
【０００２】
ＬＥＤ照明器具として、複数のＬＥＤパッケージを備えたものが知られている。このＬＥＤパッケージは、基板に複数のＬＥＤチップが縦横に整列されて設けられ、縦横に整列された複数のＬＥＤチップの前面に蛍光材が設けられている。
このＬＥＤ照明器具によれば、複数のＬＥＤチップから照射された光が蛍光材を経て照光される（例えば、特許文献１参照）。
【先行技術文献】
【特許文献】
【０００３】
【特許文献１】特開２００９−１９３９３８号公報（段落番号０００３，００１８、図１）
【発明の概要】
【発明が解決しようとする課題】
【０００４】
ここで、複数のＬＥＤパッケージを備えたＬＥＤ照明器具の一例を図８に示す。
図８に示すように、ＬＥＤ照明器具１００は、ケース１０１内に複数のＬＥＤパッケージ１０２が同一方向を向くように配列されている。
ＬＥＤパッケージ１０２は、複数のＬＥＤチップ１０３（図９参照）が縦横整列されている。
【０００５】
図９に示すように、縦横に整列されているＬＥＤチップ１０３から発光した光１０４で照射面１０５を照射した際に、ＬＥＤチップ１０３の配列により照度が高い箇所のなかに照度が低い箇所１０６が所定間隔をおいて帯状に生じる。
【０００６】
ここで、図８に示すように、ＬＥＤ照明器具１００は、ケース１０１内に複数のＬＥＤパッケージ１０２が同一方向を向くように配列されている。
よって、各ＬＥＤパッケージ１０２に備えた複数のＬＥＤチップ１０３（図９参照）が同一方向を向くように配置されている。
【０００７】
このため、図１０に示すように、隣接するＬＥＤパッケージ１０２のＬＥＤチップ１０３から発光した光１０４で照射面１０５を照射した際に、照度が低い箇所１０６が同一方向を向いて互いに重なり合う。
このように、隣接するＬＥＤパッケージ１０２から光１０４を発光した際に、照度が低い箇所１０６が同一方向を向いて互いに重なり合うことにより、照度が低い箇所１０６がハロー現象で増幅されて照射面１０５に色ムラが発生することが考えられる。
【０００８】
本発明は、前述した課題を解決するためになされたものであり、その目的は、ＬＥＤ照明器具の色ムラを目立たなくできるＬＥＤ照明器具を提供することにある。
【課題を解決するための手段】
【０００９】
本発明は、複数のＬＥＤチップが縦横に整列された状態で実装される基板と、前記基板が設けられる本体と、前記複数のＬＥＤチップの前方に配置される蛍光材と、を備える複数のＬＥＤパッケージと、前記複数のＬＥＤパッケージが、同一平面に配置されて固定される取付部と、前記複数のＬＥＤパッケージの各々の前方において、各ＬＥＤパッケージに対して空間をおいて配置される、平面視で楕円形状の複数のレンズと、を有し、前記複数のＬＥＤパッケージの各々は、行方向に第１の所定間隔をおいて、かつ前記行方向に直交する列方向に第２の所定間隔をおいて行列状に配置され、前記複数のレンズの各々は、長軸が前記行方向に沿って配置され、前記複数のＬＥＤパッケージのうちの、第ｍ行第ｍ列（ｍは１以上の自然数）の位置のＬＥＤパッケージは、前記縦横に整列されている複数のＬＥＤチップにおける横の方向が、平面視で、前記行方向に対して、時計回りあるいは反時計回りに所定角度だけ傾斜した状態で前記取付部に固定され、前記複数のＬＥＤパッケージのうちの、第ｍ行第（ｍ＋１）列の位置のＬＥＤパッケージは、前記縦横に整列されている複数のＬＥＤチップにおける横の方向が、前記第ｍ行第ｍ列の位置のＬＥＤパッケージが時計回りに傾斜している場合は反時計回りに、反時計回りに傾斜している場合は時計回りに、前記行方向に対して前記所定角度だけ傾斜した状態で前記取付部に固定され、前記複数のＬＥＤパッケージのうちの、第（ｍ＋１）行第ｍ列の位置のＬＥＤパッケージは、前記縦横に整列されている複数のＬＥＤチップにおける横の方向が、前記第ｍ行第ｍ列の位置のＬＥＤパッケージが時計回りに傾斜している場合は反時計回りに、反時計回りに傾斜している場合は時計回りに、前記行方向に対して前記所定角度だけ傾斜した状態で前記取付部に固定され、前記複数のＬＥＤパッケージのうちの、第（ｍ＋１）行第（ｍ＋１）列の位置のＬＥＤパッケージは、前記縦横に整列されている複数のＬＥＤチップにおける横の方向が、前記第ｍ行第（ｍ＋１）列の位置のＬＥＤパッケージが時計回りに傾斜している場合は反時計回りに、反時計回りに傾斜している場合は時計回りに、前記行方向に対して前記所定角度だけ傾斜した状態で前記取付部に固定される。
【発明の効果】
【００１０】
本発明のＬＥＤ照明器具によれば、隣り合うＬＥＤパッケージに設けられた複数のＬＥＤチップの整列方向を異なるように配置することにより、ＬＥＤチップの配列による照度が低い箇所を照度が高い箇所と混ぜ込むことができる。
このように、照度が低い箇所を照度が高い箇所と混ぜ込むことができるのでＬＥＤ照明器具の色ムラを目立たなくできる。
【図面の簡単な説明】
【００１１】
【図１】本発明に係るＬＥＤ照明器具を示す平面図
【図２】図１のＬＥＤ照明器具を示す側面図
【図３】本発明に係るＬＥＤ照明器具のＬＥＤパッケージを示す平面図
【図４】図１のＬＥＤ照明器具を示す断面図
【図５】第一行の第一列に設けられたＬＥＤパッケージで照射面を照射した状態を示す平面図
【図６】第二行の第一列に設けられたＬＥＤパッケージで照射面を照射した状態を示す平面図
【図７】第一行の第一列に設けられたＬＥＤパッケージおよび第二行の第一列に設けられたＬＥＤパッケージで照射面を照射した状態を示す平面図
【図８】従来のＬＥＤ照明器具を示す平面図
【図９】従来のＬＥＤパッケージで照射面を照射した状態を示す側面図
【図１０】従来の複数のＬＥＤパッケージで照射面を照射した状態を示す平面図
【発明を実施するための形態】
【００１２】
以下、本発明の実施形態に係るＬＥＤ照明器具について図面を参照して説明する。
図１、図２に示すように、本発明の実施形態であるＬＥＤ照明器具１０は、略矩形体状に形成されたケース１２と、ケース１２に設けられた取付部１４と、取付部１４に設けられた複数のＬＥＤパッケージ１６と、複数のＬＥＤパッケージ１６の前面１６Ａ（図３、図４参照）側に設けられたレンズ１８とを備えている。
ケース１２にはアーム２１がボルト２２で取り付けられ、アーム２１でケース１２が支えられている。
【００１３】
取付部１４は、ケース１２内に設けられ、複数のＬＥＤパッケージ１６を取付可能な平坦面１４Ａを有する。
この平坦面１４Ａに複数のＬＥＤパッケージ１６が取り付けられることにより、複数のＬＥＤパッケージ１６が同一面上に設けられている。
【００１４】
図３に示すように、ＬＥＤパッケージ１６は、取付部１４に取付可能なセラミック本体２５と、セラミック本体２５に設けられた基板２６と、基板２６に縦横整列された複数のＬＥＤチップ２８と、複数のＬＥＤチップ２８の前面２８Ａ（図４参照）側に設けられた蛍光材２９とを有する。
ここで、縦方向を矢印Ａで示し、横方向を矢印Ｂで示す。
【００１５】
図１に示すように、複数のＬＥＤパッケージ１６は、第一行３５の第一列４１〜第四列４４に一定間隔Ｌ１をおいて設けられ、さらに、第二行３６の第一列４１〜第四列４４に一定間隔Ｌ１をおいて設けられている。
第一行３５および第二行３６は所定間隔Ｌ２をおいて配置されている。
なお、第一行３５および第二行３６は横列を示し、第一列４１〜第四列４４は縦列を示す。
【００１６】
ＬＥＤチップ２８は、基板２６に縦横に整列された状態に実装された発光ダイオードである。このＬＥＤチップ２８に基板２６を通じて通電することにより、ＬＥＤチップ２８から青色の光が発光される。
【００１７】
図４に示すように、蛍光材２９は、基板２６に端部２９Ａが設けられ、複数のＬＥＤチップ２８を覆うように半球形状に形成され、複数のＬＥＤチップ２８の前面２８Ａ側に頂部２８Ｂが設けられている。
蛍光材２９は、緑色蛍光体、黄色蛍光体および赤色蛍光体が投光性のシリコーン樹脂に分散された状態で、シリコーン樹脂が硬化されたものである。
【００１８】
蛍光材２９を複数のＬＥＤチップ２８の前面２８Ａ側に設けることにより、複数のＬＥＤチップ２８から発光された青色の光を蛍光材２９を透過させることができる。
蛍光材２９に青色の光を透過させることにより青色の光を蛍光材２９で緑色光、黄色光や赤色光に変換させ、これらの光が混合されて白色光が生成される。
生成された白色光が蛍光材２９を経て蛍光材２９の外方に向けて照射される。
【００１９】
レンズ１８は、蛍光材２９の前面２９Ｂ側に設けられ、蛍光材２９の前面２９Ｂ側に対向する部位に凹部１８Ａが形成されている。
図１に示すように、レンズ１８は、平面視で略楕円状に形成され、楕円状の長軸が第一行３５および第二行３６に沿って設けられている。
【００２０】
また、図４に示すように、レンズ１８の凹部１８Ａは、蛍光材２９に対して空間３２をおいて設けられている。
このレンズ１８は、蛍光材２９の前面２９Ｂ側に設けることにより、複数のＬＥＤチップ２８から照射（発光）された光を集光できる。
【００２１】
図１に示すように、複数のＬＥＤパッケージ１６のうち、半数のＬＥＤパッケージ１６が第一行３５の第一列４１〜第四列４４に一定間隔Ｌ１をおいて設けられている。
また、複数のＬＥＤパッケージ１６のうち、残りの半数のＬＥＤパッケージ１６が第二行３６の第一列４１〜第四列４４に一定間隔Ｌ１をおいて設けられている。
第一行３５に設けられた半数のＬＥＤパッケージ１６と、第二行３６に設けられた残り半数のＬＥＤパッケージ１６とは所定間隔Ｌ２をおいて設けられている。
【００２２】
第一行３５の第一列４１に設けられたＬＥＤパッケージ１６は、第一行３５に対して反時計回り方向に傾斜されて設けられている。
一方、第二行３６の第一列４１に設けられたＬＥＤパッケージ１６は、第二行３６に対して時計回り方向に傾斜されて設けられている。
【００２３】
よって、第一行３５の第一列４１に設けられたＬＥＤパッケージ１６および第二行３６の第一列４１に設けられたＬＥＤパッケージ１６は交差角θで交差するように配置されている。
これにより、第一行３５の第一列４１および第二行３６の第一列４１に隣り合うように設けられたＬＥＤパッケージ１６のＬＥＤチップ２８（図３参照）の整列方向を異ならせることができる。
【００２４】
また、第一行３５の第二列４２に設けられたＬＥＤパッケージ１６は、第一行３５に対して時計回り方向に傾斜されて設けられている。
一方、第二行３６の第二列４２に設けられたＬＥＤパッケージ１６は、第二行３６に対して反時計回り方向に傾斜されて設けられている。
【００２５】
よって、第一行３５の第二列４２に設けられたＬＥＤパッケージ１６および第二行３６の第二列４２に設けられたＬＥＤパッケージ１６は、第一列４１のＬＥＤパッケージ１６と同様に、交差角θで交差するように配置されている。
これにより、第一行３５の第二列４２および第二行３６の第二列４２に隣り合うように設けられたＬＥＤパッケージ１６のＬＥＤチップ２８（図３参照）の整列方向を、第一列４１のＬＥＤパッケージ１６と同様に異ならせることができる。
【００２６】
さらに、第一行３５の第三列４３に設けられたＬＥＤパッケージ１６は、第一行３５に対して反時計回り方向に傾斜されて設けられている。
一方、第二行３６の第三列４３に設けられたＬＥＤパッケージ１６は、第二行３６に対して時計回り方向に傾斜されて設けられている。
【００２７】
よって、第一行３５の第三列４３に設けられたＬＥＤパッケージ１６および第二行３６の第三列４３に設けられたＬＥＤパッケージ１６は、第一列４１のＬＥＤパッケージ１６と同様に、交差角θで交差するように配置されている。
これにより、第一行３５の第三列４３および第二行３６の第三列４３に隣り合うように設けられたＬＥＤパッケージ１６のＬＥＤチップ２８（図３参照）の整列方向を、第一列４１のＬＥＤパッケージ１６と同様に異ならせることができる。
【００２８】
加えて、第一行３５の第四列４４に設けられたＬＥＤパッケージ１６は、第一行３５に対して時計回り方向に傾斜されて設けられている。
一方、第二行３６の第四列４４に設けられたＬＥＤパッケージ１６は、第二行３６に対して反時計回り方向に傾斜されて設けられている。
【００２９】
よって、第一行３５の第四列４４に設けられたＬＥＤパッケージ１６および第二行３６の第四列４４に設けられたＬＥＤパッケージ１６は、第一列４１のＬＥＤパッケージ１６と同様に、交差角θで交差するように配置されている。
これにより、第一行３５の第四列４４および第二行３６の第四列４４に隣り合うように設けられたＬＥＤパッケージ１６のＬＥＤチップ２８（図３参照）の整列方向を、第一列４１のＬＥＤパッケージ１６と同様に異ならせることができる。
【００３０】
すなわち、複数のＬＥＤパッケージ１６のうち、隣り合うＬＥＤパッケージ１６に設けられた複数のＬＥＤチップ２８（図３参照）の整列方向が異なるように配置されている。
【００３１】
次に、ＬＥＤチップ２８から発光された光を照射面５２に色ムラを目立たなくして照射する例を図１、図３、図５〜図７に基づいて説明する。
なお、図５〜図７においてはＬＥＤパッケージ１６を基板２６（図３参照）側、すなわち裏側から見た状態を示す。
【００３２】
図３に示すように、ＬＥＤパッケージ１６は、複数のＬＥＤチップ２８が縦横に整列されている。
また、図１に示すように、第一行３５の第一列４１に設けられたＬＥＤパッケージ１６は、第一行３５に対して反時計回り方向に傾斜されて設けられている。
【００３３】
よって、図５に示すように、複数のＬＥＤチップ２８の光５１で照射面５２を照射する際に、ＬＥＤチップ２８の配列に応じて照度が高い明箇所５１Ａと照度が低い暗箇所５１Ｂとが傾斜した状態で交互に生じる。
すなわち、明箇所５１Ａおよび暗箇所５１Ｂは、第一行３５に対してθ１傾斜した状態で照射面５２に色ムラ状に照射される。
【００３４】
一方、図１に示すように、第二行３６の第一列４１に設けられたＬＥＤパッケージ１６は、第二行３６に対して時計回り方向に傾斜されて設けられている。
よって、第二行３６の第一列４１に設けられたＬＥＤパッケージ１６は、第一列３５の第一列４１に設けられたＬＥＤパッケージ１６に対して逆方向に傾斜されている。
【００３５】
これにより、図６に示すように、複数のＬＥＤチップ２８の光５１で照射面５２を照射する際に、ＬＥＤチップ２８の配列に応じて照度が高い明箇所５１Ａと照度が低い暗箇所５１Ｂとが傾斜した状態で交互に生じる。
すなわち、明箇所５１Ａおよび暗箇所５１Ｂは、第一列３５の第一列４１に設けられたＬＥＤパッケージ１６に対して逆方向に傾斜するように、第一行３５に対してθ１傾斜した状態で照射面５２に色ムラ状に照射される。
【００３６】
図７に示すように、第一行３５の第一列４１に設けられたＬＥＤパッケージ１６、第二行３６の第一列４１に設けられたＬＥＤパッケージ１６を逆方向に傾斜させることにより、隣り合うＬＥＤパッケージ１６は交差角θで交差するように配置されている。
すなわち、隣り合うＬＥＤパッケージ１６に設けられた複数のＬＥＤチップ２８（図３参照）の整列方向が異なるように配置されている。
【００３７】
よって、第一行３５の第一列４１のＬＥＤパッケージ１６から照射面５２に照射された照度の低い暗箇所５１Ｂ（図５参照）が、第二行３６の第一列４１のＬＥＤパッケージ１６から照射面５２に照射された照度の高い明箇所５１Ａ（図６参照）に混ぜ込まれる。
さらに、第二行３６の第一列４１のＬＥＤパッケージ１６から照射面５２に照射された照度の低い暗箇所５１Ｂ（図６参照）が、第一行３６の第一列４１のＬＥＤパッケージ１６から照射面５２に照射された照度の高い明箇所５１Ａ（図５参照）に混ぜ込まれる。
【００３８】
すなわち、ＬＥＤチップ２８の配列による照度が低い暗箇所５１Ｂ（図５、図６参照）を照度が高い明箇所５１Ａ（図５、図６参照）に混ぜ込むことができる。
このように、照度が低い暗箇所５１Ｂを照度が高い明箇所５１Ａに混ぜ込むことができるのでＬＥＤ照明器具１０で照射した照射面５２の色ムラを目立たなくできる。
【００３９】
図５〜図７においては、図１に示す第一行３５の第一列４１に設けられたＬＥＤパッケージ１６、および第二行３６の第一列４１に設けられたＬＥＤパッケージ１６について説明したが、その他のＬＥＤパッケージ１６も同様に色ムラを目立たなくできる。
具体的には、第一列４１の隣り合うＬＥＤパッケージ１６と同様に、第二列４２〜第四列４４の隣り合うＬＥＤパッケージ１６も、同様に照射面５２の色ムラを目立たなくできる。
【００４０】
なお、本発明に係るＬＥＤ照明器具は、前述した実施形態に限定されるものではなく適宜変更、改良等が可能である。
例えば、実施形態では、第一行３５および第二行３６において第一列４１〜第四列４４にＬＥＤパッケージ１６を配列した例について説明したが、ＬＥＤパッケージ１６の配列はこれに限定するものではない。
【００４１】
また、実施形態で使用したＬＥＤ照明器具、取付部、ＬＥＤパッケージ、レンズ、ＬＥＤチップおよび蛍光材等の形状や構成は例示したものに限定するものではなく適宜変更が可能である。
【符号の説明】
【００４２】
１０  ＬＥＤ照明器具
１４  取付部
１６  ＬＥＤパッケージ
１６Ａ  ＬＥＤパッケージの前面
１８  レンズ
２８  ＬＥＤチップ
２８Ａ  ＬＥＤチップの前面
２９  蛍光材
２９Ｂ  蛍光材の前面
３２  空間
５１  光
θ  交差角
【図１】
0005861061.tif 000002
【図２】
0005861061.tif 000003
【図３】
0005861061.tif 000004
【図４】
0005861061.tif 000005
【図５】
0005861061.tif 000006
【図６】
0005861061.tif 000007
【図７】
0005861061.tif 000008
【図８】
0005861061.tif 000009
【図９】
0005861061.tif 000010
【図１０】
0005861061.tif 000011